(57)【特許請求の範囲】
【請求項１】
鉄筋コンクリート造の柱梁架構の柱及び梁が接合される柱梁仕口部を構築する方法であって、
前記柱梁架構の複数階層以上の所定階数範囲の各階の柱脚から柱頭までの柱の少なくとも一部を構成する複数のＰＣ柱部材と、前記複数のＰＣ柱部材を貫通するとともに、これら複数のＰＣ柱部材を間隔をおいて連結する柱筋とを備え、前記ＰＣ柱部材の間の柱梁仕口部にあたる部分のコンクリートは打設されておらず、前記柱筋が露出する連層ＰＣ柱部材を建て込むＰＣ柱部材建て込みステップと、
梁主筋を有するＰＣ梁部材を前記柱梁仕口部にあたる部分の両側部に建て込むＰＣ梁部材建て込みステップと、
前記柱梁仕口部にあたる部分において、前記両側部に建て込んだＰＣ梁部材の梁主筋を直接又はやとい筋を介して継手する継手ステップと、
前記柱梁仕口部を構成するコンクリートを打設するコンクリート打設ステップと、を備え、
前記所定階数範囲の最上階の柱を構成するＰＣ柱部材は、前記最上階の柱の柱脚から柱頭までを構成し、
前記所定階数範囲の最上階の直上階にあたる柱梁仕口部を、当該柱梁仕口部の対向する側面に接合される梁を構成するＰＣ梁部材が一体となり当該柱梁仕口部にあたる部分にコンクリートが打設されていない２スパンＰＣ梁部材を、その柱梁仕口部にあたる部分が前記連層ＰＣ柱部材の前記所定階数範囲の最上階の柱を構成するＰＣ柱部材の上部に位置するように建て込み、前記所定階数範囲の最上階の直上階の柱梁仕口部にあたる部分にコンクリートを打設することにより構築することを特徴とする鉄筋コンクリート造の柱梁仕口部の構築方法。
【請求項２】
請求項１に記載の鉄筋コンクリート造の柱梁仕口部の構築方法において、
前記ＰＣ柱部材建て込みステップでは、前記連層ＰＣ柱部材を、隣接する前記連層ＰＣ柱部材が交互に一階層ずれるように千鳥状に建て込み、
前記連層ＰＣ柱部材のうち、最上階の高さが隣接する連層ＰＣ柱部材よりも一階層低い連層ＰＣ柱部材の最上階の直上階の柱梁仕口部にあたる部分に、前記２スパンＰＣ梁部材の柱梁仕口部にあたる部分が位置するように建て込み、
前記継手ステップでは、前記２スパンＰＣ梁部材を構成する前記ＰＣ梁部材の端部から突出する梁主筋を、前記一層低い連層ＰＣ梁部材に隣接する連層ＰＣ梁の前記柱梁仕口部にあたる部分において、当該柱梁仕口部の反対側に設置される前記２連ＰＣ梁部材を構成する前記ＰＣ梁部材の端部から突出する梁主筋と直接又はやとい筋を介して継手することを特徴とする鉄筋コンクリート造の柱梁仕口部の構築方法。
【発明の詳細な説明】
【技術分野】
【０００１】
本発明は、複数階層の柱を構成するＰＣ部材を柱筋により連結した連層ＰＣ柱部材、この連層ＰＣ柱部材を用いて柱梁仕口部を構築する方法及びこの方法により柱梁仕口部が構築された柱梁架構に関する。
【背景技術】
【０００２】
従来より、施工期間を短縮するなどの目的のため、ＰＣ部材を用いて鉄筋コンクリート造建物の柱梁架構を構築することが行われている。このようなＰＣ部材を用いて柱梁仕口部を構築する方法として、柱梁仕口部の上方又は下方にあたるＰＣ部材の端面より柱筋を突出させるとともに、逆側のＰＣ部材の端面に機械式継手を埋設しておき、柱梁仕口部に接続されるＰＣ梁部材を建て込み、機械式継手により各階の柱を構成するＰＣ部材の柱筋を接続し、柱梁仕口部にコンクリートを打設する方法が用いられている（例えば、特許文献１参照）。
【０００３】
また、柱梁仕口部を構築する方法として、複数階に跨る長さに形成され、柱梁仕口部を貫通するように梁接合筋が埋設された連層ＰＣ柱部材を建て込み、柱梁仕口部側の端面から梁筋が突出するＰＣ梁部材を建て込み、ＰＣ柱部材の梁接合筋とＰＣ梁部材の梁筋とを機械式継手により継手し、その周囲にコンクリートを打設することにより柱梁仕口部を構築する方法も用いられている（例えば、特許文献２参照）。この方法によれば、複数層の柱を連層ＰＣ柱部材を建て込むことにより一括して構築することができるため、工期の短縮が可能となる。
【特許文献１】特開２０００―１２０１６６号公報
【特許文献２】特開２００１―２７９８１１号公報
【発明の開示】
【発明が解決しようとする課題】
【０００４】
しかしながら、特許文献１記載の方法では、各階の柱を構成するＰＣ柱部材の柱筋を継手するため、機械式継手の使用量が非常に多くなってしまい、施工コストがかかり、また、各機械式継手にグラウトの充填を行わなければならず、施工に手間がかかる。
【０００５】
また、特許文献２記載の方法では、柱梁仕口部内は柱筋及び梁筋が交錯しているため、配筋作業が困難であり、部材の製作に手間がかかった。さらに、柱梁仕口部に前後左右方向から梁が接続される場合には、連層ＰＣ柱部材の柱梁仕口部の各面から突出するように梁接合筋を設けなければならない。このような場合には、床面上に寝かした状態で連層ＰＣ柱部材を製作することができず、嵩上げした状態で製作する必要があるため、さらにＰＣ柱部材の製作に手間がかかった。また、このように連層ＰＣ柱部材は表面より梁接合筋等が突出しているため、部材の幅が大きくなってしまい、現場への搬入が困難であるという問題があった。
【０００６】
本発明は、上記の問題に鑑みなされたものであり、鉄筋コンクリート造建物の柱梁架構をＰＣ柱部材を用いて構築する際に、機械式継手の使用量を減らすとともに、ＰＣ柱部材を容易に製作できるようにすることである。
【課題を解決するための手段】
【０００７】
本発明の柱梁仕口部の構築方法は、鉄筋コンクリート造の柱梁架構の柱及び梁が接合される柱梁仕口部を構築する方法であって、前記柱梁架構の複数階層以上の所定階数範囲の各階の柱脚から柱頭までの柱の少なくとも一部を構成する複数のＰＣ柱部材と、前記複数のＰＣ柱部材を貫通するとともに、これら複数のＰＣ柱部材を間隔をおいて連結する柱筋とを備え、前記ＰＣ柱部材の間の柱梁仕口部にあたる部分のコンクリートは打設されておらず、前記柱筋が露出する連層ＰＣ柱部材を建て込むＰＣ柱部材建て込みステップと、梁主筋を有するＰＣ梁部材を前記柱梁仕口部にあたる部分の両側部に建て込むＰＣ梁部材建て込みステップと、前記柱梁仕口部にあたる部分において、前記両側部に建て込んだＰＣ梁部材の梁主筋を直接又はやとい筋を介して継手する継手ステップと、前記柱梁仕口部を構成するコンクリートを打設するコンクリート打設ステップと、を備え、前記所定階数範囲の最上階の柱を構成するＰＣ柱部材は、前記最上階の柱の柱脚から柱頭までを構成し、
前記所定階数範囲の最上階の直上階にあたる柱梁仕口部を、当該柱梁仕口部の対向する側面に接合される梁を構成するＰＣ梁部材が一体となり当該柱梁仕口部にあたる部分にコンクリートが打設されていない２スパンＰＣ梁部材を、その柱梁仕口部にあたる部分が前記連層ＰＣ柱部材の前記所定階数範囲の最上階の柱を構成するＰＣ柱部材の上部に位置するように建て込み、前記所定階数範囲の最上階の直上階の柱梁仕口部にあたる部分にコンクリートを打設することにより構築することを特徴とする。
【０００８】
本発明において、廃前記ＰＣ柱部材建て込みステップでは、前記連層ＰＣ柱部材を、隣接する前記連層ＰＣ柱部材が交互に一階層ずれるように千鳥状に建て込み、前記連層ＰＣ柱部材のうち、最上階の高さが隣接する連層ＰＣ柱部材よりも一階層低い連層ＰＣ柱部材の最上階の直上階の柱梁仕口部にあたる部分に、前記２スパンＰＣ梁部材の柱梁仕口部にあたる部分が位置するように建て込み、前記継手ステップでは、前記２スパンＰＣ梁部材を構成する前記ＰＣ梁部材の端部から突出する梁主筋を、前記一層低い連層ＰＣ梁部材に隣接する連層ＰＣ梁の前記柱梁仕口部にあたる部分において、当該柱梁仕口部の反対側に設置される前記２連ＰＣ梁部材を構成する前記ＰＣ梁部材の端部から突出する梁主筋と直接又はやとい筋を介して継手することとしてもよい。
【発明の効果】
【００２０】
本発明によれば、複数層の柱を構成するＰＣ部材が柱筋により連結された連層ＰＣ柱部材を用いることにより、柱筋の継手箇所が減るため機械式継手の使用量を減らすことができる。さらに、柱梁仕口部を構成するコンクリートを現場打ちとすることにより、梁との接続のための接合鉄筋等をＰＣ部材の表面から突出するように設ける必要がなく、ＰＣ部材の製作の手間を削減でき、また、部材の幅も大きくならないため、容易に現場への搬入作業を行うことができる。
【発明を実施するための最良の形態】
【００２１】
以下、本発明の鉄筋コンクリート造建物の柱梁仕口部の構築方法の一実施形態を図面を参照しながら詳細に説明する。
図１は、本実施形態の鉄筋コンクリート造建物の柱梁仕口部の構築方法において用いられる連層ＰＣ柱部材１０を示す図である。同図に示すように、連層ＰＣ柱部材１０は、複数層（図１では２層分）の柱を構成するＰＣ柱部材１１、１２と、これらＰＣ柱部材１１、１２を貫通する複数の柱筋１３と、を備え、これらＰＣ柱部材１１、１２は柱筋１３により連結されている。また、連層ＰＣ柱部材１０の上方及び中間の仕口部１５、１６にあたる部分には、コンクリートが打設されておらず、柱筋１３が露出している。また、柱筋１３の下端には機械式継手１４が接続されており、下方のＰＣ柱部材１２の下面に機械式継手１４の鉄筋挿入口が開口している。
【００２２】
このように、仕口部１５、１６を構成するコンクリートが打設されておらず、後述するように、仕口部１５、１６の梁筋については現場において配筋するため、従来のようにＰＣ柱部材の表面より突出するように接合鉄筋等を埋設する必要がない。このため、連層ＰＣ柱部材１０を製作する際に、仕口部における配筋作業の手間を削減でき、また、嵩上げ等を行わなくても製作できる。また、連層ＰＣ柱部材１０は、表面から接合鉄筋等が突出していないため、容易に現場への搬入作業を行うことができる。
【００２３】
以下、このような連層ＰＣ柱部材１０を用いた鉄筋コンクリート造建物の柱梁仕口部の構築方法を、図２に示すような鉄筋コンクリート造建物の柱梁架構を構築する場合を例として説明する。なお、図２において（Ａ）は平面図であり、（Ｂ）は（Ａ）におけるＡ通りの断面図であり、（Ｃ）は（Ａ）における３通りの断面図である。
【００２４】
なお、本実施形態の柱梁架構の構築方法では、２層分の長さを有する連層ＰＣ柱部材１０を用いて柱を構築するため、各柱において１階おきに連層ＰＣ柱部材１０の接続箇所が位置することとなる。図２（Ａ）において、灰色に彩色した柱は、連層ＰＣ柱部材１０の接続箇所がＮ−１階、Ｎ＋１階、の柱の脚部に位置しており、斜線を付した柱は、連層ＰＣ柱部材１０の接続箇所がＮ階、Ｎ＋２階の脚部に位置している。以下、接続箇所がＮ−１階及びＮ＋１階の柱の脚部に位置している柱を第１の柱群３０Ａとし、接続箇所がＮ階、Ｎ＋２階の脚部に位置している柱を第２の柱群３０Ｂとして説明を行う。図２（Ｂ）に示すように、Ａ通りには、第１の柱群の柱３０Ａと第２の柱群の柱３０Ｂが交互に並んでおり、図２（Ｃ）に示すように、柱梁架構１００の３通りにはＡ通り〜Ｃ通りに向かって、第１の柱群の柱３０Ａ、第２の柱群の柱３０Ｂ、第２の柱群の柱３０Ｂの順序で並んでいる。
【００２５】
また、図３は、柱梁架構を構築する際に用いられるＰＣ梁部材２０を示し、（Ａ）は側面図であり、（Ｂ）は（Ａ）におけるＢ−Ｂ´断面図である。同図に示すように、ＰＣ梁部材２０は、梁の下部を構成するプレキャストコンクリート２１と、このプレキャストコンクリート２１に梁の長手方向に延びるように埋設された下端の梁筋２４と、梁の長手方向に適宜な間隔をあけて、下部がプレキャストコンクリート２１内に埋設されたせん断補強筋２２と、せん断補強筋２２に結束線などにより取り付けられた上端の梁筋２３と、を備える。なお、以下に説明する柱梁架構の構築方法では、一部の箇所については、２スパン分のＰＣ梁部材２０が梁筋２４により連結されたＰＣ梁部材２０Ａ、２０Ｂを用いている。
【００２６】
以下、柱梁架構の構築方法について説明する。
図４Ａ〜図４Ｆは、及び、図５Ａ〜図５Ｆは、柱梁架構の構築方法を説明するための図であり、図４Ａ〜図４Ｆは図２（Ａ）のＡ通りを示し、図５Ａ〜図５Ｆは柱梁架構１００の３通りを示す。
図４Ａ及び図５Ａに示すように、第２柱群３０ＢのＮ階及びＮ＋１階の柱を構成する連層ＰＣ柱部材１０Ｂを建て込むにあたり、第１の柱群３０Ａの柱は、Ｎ−１階及びＮ階の柱を構成する連層ＰＣ柱部材１０Ａの建て込みが完了しており、第２の柱群３０Ｂの柱は、Ｎ−１階及びＮ−２階の柱を構成する連層ＰＣ柱部材１０Ｂの建て込みが完了している。また、図４Ａに示すように、Ａ通りのＮ階までの梁４０を構成するＰＣ梁部材２０Ａが建て込まれ、これらのＰＣ梁部材２０Ａの梁筋２３Ａは、梁やとい筋２６Ａを介して接続されている。また、図５Ａに示すように、３通りのＮ階までの梁４０を構成するＰＣ梁部材２０Ｂ、２０Ｃが建て込まれ、Ｎ−１階の梁を構成するＰＣ梁部材２０Ｃの梁筋２３Ｃ，２４Ｃは機械式継手２５Ｃにより継手されている。また、Ｎ−１階及びＮ階の梁を構成するＰＣ梁部材２０Ｂ、２０Ｃの梁筋２３Ｂ，２３Ｃ、２４Ｂ，２４Ｃには、夫々やとい筋２６Ｂ、２６Ｃが継手され、これらやとい筋２６Ｂ、２６Ｃの端部は仕口部内まで到達している。
【００２７】
まず、図４Ｂ及び図５Ｂに示すように、第２の柱群３０ＢのＮ階及びＮ＋１階の柱を構成する連層ＰＣ柱部材１０Ｂを、部材下部に埋設された機械式継手内に、Ｎ−２階及びＮ−１階の柱を構成する連層ＰＣ柱部材１０Ｂの柱筋１３Ｂの上端が挿入されるように建て込む。なお、連層ＰＣ柱部材１０Ｂは、仕口部を構成するコンクリートが打設されておらず、部材重量が軽いため、小型の揚重機でも揚重することができる。そして、既に建て込まれている第２の柱群３０ＢのＮ−２階及びＮ−１階の柱を構成する連層ＰＣ柱部材１０Ｂの柱筋１３Ｂと、新たに建て込んだＮ階及びＮ＋１階の柱を構成する連層ＰＣ柱部材１０Ｂの柱筋１３Ｂとを、柱のＮ階及びＮ＋１階の部分を構成する連層ＰＣ柱部材１０Ｂの下端に埋設された機械式継手１４により継手する。
【００２８】
次に、図４Ｃに示すように、Ａ通りのＮ＋１階の梁を構成する２スパン分の長さを有するＰＣ梁部材２０Ａを略鉛直下方に降下させて、第１の柱群３０ＡのＮ−１階及びＮ階の柱を構成する連層ＰＣ柱部材１０Ａの上部の仕口部１５Ａに当たる部分を梁筋２３Ａ、２４Ａが横切るように建て込む。ＰＣ梁部材２０Ａを構成する梁筋２３Ａ、２４Ａは、ＰＣ梁部材２０Ａを建て込む際に第２の柱群３０Ａと干渉しないように、第２の柱群３０Ｂの柱の間の距離に比べて短い鉄筋が用いられ、また、プレキャストコンクリート２１Ａも柱間スパンに比べて短く形成されており、ＰＣ梁部材２０Ａを建て込んだ状態において、ＰＣ梁部材２０Ａを構成するプレキャストコンクリート２１Ａの端部は、第２の柱群３０Ｂを構成する連層ＰＣ柱部材１０Ｂの中間の仕口部１６Ｂまで到達しておらず、仕口部１６Ｂとプレキャストコンクリート２１Ａの端部との間に隙間（以下、在来ゾーンという）が形成される。
【００２９】
そして、図４Ｄに示すように、第２の柱群３０Ｂの柱のＮ＋１階の仕口部１６Ｂ（すなわち、２、４通りの連層ＰＣ柱部材１０Ｂの中間の仕口部）を挟んで隣接するＰＣ梁部材２０Ａの梁筋２３Ａ，２４Ａに梁やとい筋２６Ａの端部を機械式継手２５Ａにより夫々継手し、梁やとい筋２６Ａを介してＰＣ梁部材２０Ａの梁筋２３Ａ，２４Ａを接続する。なお、この継手作業は在来ゾーンにおいて行えばよい。そして、これと同様に、図２（Ａ）におけるＣ通りの梁を構成するＰＣ梁部材を建て込み、梁筋を接続する。
【００３０】
次に、図５Ｃに示すように、３通りのＮ＋１階の梁を構成する１スパン分の長さを有するＰＣ梁部材２０Ｃを仕口部１６Ｂにあたる高さまで降下させ、Ｂ通りの柱を構成する連層ＰＣ柱部材１０Ｂの中間の仕口部１６Ｂにあたる部分に向かって水平移動させて建て込む。ＰＣ梁部材２０Ｃの梁筋２３Ｃ，２４Ｃは、Ａ〜Ｃ通りの柱１０Ａ、１０Ｂや、図４Ｃを参照して説明した工程で建て込まれたＡ通り、Ｃ通りのＰＣ梁部材２０Ａの梁筋２３Ａ、２４Ａと干渉しないように隣接する柱間の間隔に比べて短い鉄筋が用いられており、また、プレキャストコンクリート２１Ｃは隣接する柱間の間隔に比べて短く形成されている。このため、ＰＣ梁部材２０Ｃを建て込んだ状態において、プレキャストコンクリート２１Ｃ及び梁筋２３Ｃ、２４ＣのＡ通り及びＣ通り側の端部は、Ａ通り及びＣ通りの柱のＮ＋１階の仕口部１５Ａ，１６Ｂまで到達しておらず、仕口部１５Ａ，１６Ｂと、プレキャストコンクリート２１Ｃの端部との間に隙間（在来ゾーン）が形成されている。なお、図中左側のＰＣ梁部材２０Ｃの上端の梁筋２３ＣのＡ通り側の端部は、ＰＣ梁部材２０Ｃを建て込む際に連層ＰＣ柱部材１０Ａや梁筋２３Ａ，２４Ａと干渉しないため、建て込みが完了した状態で、先端が仕口部１５Ａ内まで到達するような位置まで延びている。また、これと同様に、ＰＣ梁部材を建て込む際に他の部材と干渉する虞がない場合には、下端筋も先端が仕口部１５Ａ内まで到達するようにしてもよい。
【００３１】
そして、図５Ｄに示すように、３通りに建て込まれた連層ＰＣ柱部材１０Ｂの仕口部１６Ｂ内において、これらのＰＣ梁部材２０Ｃの梁筋２３Ｃ、２４Ｃを機械式継手２５Ｃにより継手する。また、梁筋２３Ｃ、２４Ｃの仕口部１５Ａ側の端部には、仕口部１５Ａ内まで到達するように梁やとい筋２６Ｃを機械式継手２５Ｃにより継手する。なお、梁やとい筋２６Ｃと梁筋２３Ｃ、２４Ｃとの継手作業は、在来ゾーンにおいて行えばよい。
【００３２】
また、これと同様に、図２（Ａ）における１、２、４，５通りのＮ＋１階の梁を構成するＰＣ梁部材を建て込む。この際、２、４通りでは、Ａ通りのみＮ＋１階までの柱を構成する連層ＰＣ柱部材２０Ｂの建て込みが完了し、Ｂ、Ｃ通りでは、Ｎ階までの柱を構成する連層ＰＣ柱部材２０Ａの建て込みが完了した状態であるが、このような場合には、後に図５Ｅを参照しながら詳述するように２スパン分の長さを有するＰＣ梁部材を用いることができる。
【００３３】
次に、図４Ｄ及び図５Ｄに示すように、第１の柱群３０ＡのＮ＋１階及びＮ＋２階の柱を構成する連層ＰＣ柱部材１０Ａを、部材下部に埋設された機械式継手１４内に、既に建て込まれているＮ−１階及びＮ階の柱を構成する連層ＰＣ柱部材１０Ａの柱筋１３Ａの上端が挿入されるように連層ＰＣ柱部材１０Ａを建て込む。そして、Ｎ−１階及びＮ階の柱を構成する連層ＰＣ柱部材１０Ａの柱筋１３Ａと、Ｎ＋１階及びＮ＋２階の柱を構成する連層ＰＣ柱部材１０Ａの柱筋１３Ａと、をＮ＋１階及びＮ＋２階の柱を構成する連層ＰＣ柱部材１０Ａの下方のＰＣ部材１２Ａに埋設された機械式継手１４により継手する。
【００３４】
次に、図４Ｅに示すように、Ａ通りのＮ＋２階の梁を構成する２スパン分の長さを有するＰＣ梁部材２０Ａを、第１の柱群３０Ａを構成する柱の間に建て込む。ＰＣ梁部材２０Ａを建て込む際には、第２柱群３０Ｂの柱を構成する連層ＰＣ柱部材１０Ｂの上部の仕口部１５Ｂに当たる空間を梁筋２３Ａ、２４Ａが横切るように建て込む。そして、図４Ｆに示すように、第１の柱群１０Ａの柱のＮ＋２階の仕口部１６Ａを挟んで隣接するＰＣ梁部材２０Ａの梁筋２３Ａ，２４Ａに、梁やとい筋２６Ａの端部を機械式継手２５Ａにより夫々継手し、梁やとい筋２６Ａを介してＰＣ梁部材２０Ａの梁筋２３Ａ，２４Ａを接続する。そして、上記の工程と同様にＣ通りの梁を構成するＰＣ梁部材を建て込み、梁筋を接続する。
【００３５】
次に、図５Ｅに示すように、３通りのＮ＋２階の梁を構成する２スパン分の長さを有するＰＣ梁部材２０Ｂを建て込む。ＰＣ梁部材２０Ｂを建て込む際には、連層ＰＣ柱部材１０Ｂの上方のＰＣ部材１１Ｂの上部の仕口部１５Ｂに当たる空間を梁筋２３Ｂ、２４Ｂが横切るように建て込む。なお、ＰＣ梁部材２０Ｂを建て込む際に、ＰＣ梁部材２０Ｂの上端の梁筋２３ＢのＣ通り側の端部は、他の部材と干渉することがないため、建て込みが完了した状態で先端が仕口部１５Ｂまで到達するような位置まで延びている  。そして、図５Ｆに示すように、梁筋２３Ｂ、２４ＢのＡ通り側の端部に、仕口部１５Ｂ内まで到達するように梁やとい筋２６Ｂを機械式継手２５Ｂにより継手し、また、下端の梁筋２４ＢのＣ通り側の端部に梁やとい筋２６Ｂを機械式継手２５Ｂにより継手する。
【００３６】
また、これと同様に、１、２、４，５通りの梁のＮ＋２階の梁を構成するＰＣ梁部材を建て込む。この際、２、４通りでは、Ａ通りではＮ＋１階までの柱を構成する連層ＰＣ柱部材２０Ｂの建て込みが完了し、Ｂ、Ｃ通りでは、Ｎ＋２階までの柱を構成する連層ＰＣ柱部材２０Ａの建て込みが完了した状態であるが、このような場合には、図５Ｃを参照しながら後述する２スパン分の長さを有するＰＣ梁部材を用いることができる。
【００３７】
以上の工程により、図４Ｆ及び図５Ｆに示すように、第１の柱群３０Ａは、Ｎ＋１階及びＮ＋２階の柱を構成する連層ＰＣ柱部材１０Ａの建て込みが完了しており、第２の柱群３０Ｂの柱は、Ｎ階及びＮ＋１階の柱を構成する連層ＰＣ柱部材１０Ｂの建て込みが完了しており、Ｎ＋１階までの梁を構成するＰＣ梁部材２０Ａ，２０Ｂの建て込みが完了している状態（すなわち、図４Ａ及び図５ＡのＮ階をＮ＋２階とした状態）となる。このため、上記の工程を繰り返すことにより、仕口部１５Ａ，１５Ｂ、１６Ａ，１６Ｂ及びＰＣ梁部材２０Ａ、２０Ｂ、２０Ｃの上部のコンクリートの打設作業を残した状態の鉄筋コンクリート造の柱梁架構を構築することができる。
【００３８】
そして、仕口部１５Ａ，１５Ｂ、１６Ａ，１６Ｂ、ＰＣ梁部材２０Ａ、２０Ｂ、２０Ｃの上部、及び在来ゾーンにコンクリートを打設する。なお、このコンクリートの打設作業は、仕口部１５Ａ，１５Ｂ、１６Ａ，１６Ｂにおける梁筋の配筋が完了した後、すぐに打設してもよいし、上記の工程を繰り返し、複数層の連層ＰＣ柱部材１０Ａ，１０Ｂ、ＰＣ梁部材２０Ａ，２０Ｂ、２０Ｃの建て込み、及び仕口部１５Ａ，１５Ｂ、１６Ａ，１６Ｂにおける梁筋の配筋を行った後、適宜なタイミングで行ってもよい。また、仕口部１５Ａ，１５Ｂ、１６Ａ，１６Ｂと梁を構成するコンクリートは一度に打設してもよいし、分けて打設してもよい。以上の工程により、図２に示すような鉄筋コンクリート造の柱梁架構を構築することができる。
【００３９】
以上説明したように、本実施形態の鉄筋コンクリート造建物の構築方法によれば、２層分の柱を構成するＰＣ部材１１、１２を柱筋１３により連結した連層ＰＣ柱部材１０を用いることにより、柱筋の接合箇所が減り、使用する機械式継手の数を削減することができる。
【００４０】
また、従来は、ＰＣ梁部材の仕口部の両側に梁が接続される場合には、ＰＣ梁部材の両側において梁筋を継手していたため、ＰＣ梁部材の仕口部の両側において梁筋を継手するための機械式継手が必要であった。これに対して、本実施形態では、連層ＰＣ柱部材１０Ａ、１０Ｂの上部の仕口部１５Ａ，１５Ｂの両側の梁は、２スパン分連結されたＰＣ梁部材２０Ａ、２０Ｂを用いて構築するため、仕口部１５Ａ，１５Ｂにおける梁筋を配筋する際に、機械式継手は不要である。また、Ｂ―Ｂ´断面において、連層ＰＣ柱部材１０Ａ、１０Ｂの中間部の仕口部１６Ｂを構築する場合には、１スパン分の長さを有するＰＣ梁部材２０Ｃを水平方向に移動させて建て込み、梁筋を１箇所で継手するため、梁筋を継手するために必要となる機械式継手の数を減らすことができる。このように使用する機械式継手の数が減ることによりコストを削減できるとともに、機械式継手内にグラウトを充填する手間が減るため施工性を向上することができる。
【００４１】
また、本実施形態の連層ＰＣ柱部材１０Ａ、１０Ｂは、現場において仕口部の配筋をおこなうため、従来のようにＰＣ柱部材の表面より突出するように接合鉄筋等を埋設する必要がない。このため、部材の製作の際に、仕口部における配筋作業が不要であり、また、嵩上げ等をしなくても、部材を寝かした状態で製作することができ、連層ＰＣ柱部材１０Ａ，１０Ｂの製作時の手間を減らすことができる。また、連層ＰＣ柱部材１０は、表面から接合鉄筋等が突出していないため、部材の幅が大きくないため容易に現場への搬入作業を行うことができる。
【００４２】
また、ＰＣ梁部材２０Ａ，２０Ｂ、２０Ｃと仕口部との間に在来ゾーンを設けるようにしたため、この在来ゾーンにおいて梁筋２３Ａ，２３Ｂ、２３Ｃ、２４Ａ、２４Ｂ、２４Ｃとやとい筋２６Ａ、２６Ｂ、２６Ｃとの継手作業を行うことができ、継手作業を柱主筋が交錯する仕口部内で行う必要がないため、施工性を向上することができる。
【００４３】
また、複数層の柱を構成するＰＣ柱部材を一括して建て込むことができるため、施工性を向上することができる。また、仕口部を現場で打設することとしたため、ＰＣ工場で打設するコンクリート量を削減することができ、コストを削減することができる。
【００４４】
なお、上記の実施形態では、連層ＰＣ柱部材１０の柱筋１３を柱脚部において接合することとしたが、これに限らず、柱頭部において連層ＰＣ柱部材１０の柱筋１３を継手することしてもよい。このような場合には、図６（Ａ）に示すような各階の柱を構成するＰＣ部材５１、５２を貫通するとともに、下端が下方のＰＣ部材５２の下面より突出するように複数層の柱筋５３を埋設し、機械式継手５４を上方のＰＣ部材５１の上面に鉄筋挿入口が開口するように柱筋５３の上端に接続した連層ＰＣ柱部材５０を用いればよい。
【００４５】
さらに、柱の中間部において連層ＰＣ柱部材の柱筋を継手することも可能であり、このような場合には、図６（Ｂ）に示すように、中間階の柱を構成するコンクリートをＰＣ柱部材６２と、その上階の柱の脚部から中間部までを構成するＰＣ柱部材６１と、中間階の下階の柱の頭部から中間部までを構成するＰＣ柱部材６３と、が柱筋６４により連結され、上方のＰＣ柱部材６１の上面から柱筋６４が突出するとともに、下方のＰＣ柱部材６３の下面に鉄筋挿入口が開口するように機械式継手６５が埋設された連層ＰＣ柱部材６０を用いることも可能である。また、図６（Ｃ）に示すように、中間階の柱を構成するコンクリートをＰＣ柱部材７２と、その上階の柱の脚部から中間部までを構成するＰＣ柱部材７１と、中間階の下階の柱の頭部から中間部までを構成するＰＣ柱部材７３と、が柱筋７４により連結され、下方のＰＣ柱部材７１の下面から柱筋７４が突出するとともに、下方のＰＣ柱部材７３の上面に鉄筋挿入口が開口するように機械式継手７５が埋設された連層ＰＣ柱部材７０を用いることも可能である。
【００４６】
また、本実施形態では、２階層分の柱を構成するＰＣ部材を、柱筋により接続した連層ＰＣ柱部材について説明したが、これに限らず、３階層分以上の柱を構成するＰＣ部材を柱筋により接続した連層ＰＣ柱部材を用いてもよい。また、予め１階層分の柱を構成するＰＣ柱部材を仕口部にあたる部分に空間が形成されるように先行して建て込み、柱筋を継手した後、前記建て込まれたＰＣ柱部材の間の空間の側部にＰＣ梁部材を建て込み、柱梁仕口部を構築する場合にも本発明を適用することができる。
【００４７】
また、本実施形態では、連層ＰＣ柱部材のＰＣ部材間の仕口部にあたる部分に、全くコンクリートが打設されていない場合について説明したが、これに限らず、ＰＣ梁部材の建て込み、及び梁筋の継手作業に障害とならなければ、仕口部を構成するコンクリートの一部が打設されていてもよい。図７は、仕口部の両側部を構成するコンクリートが打設された連層ＰＣ柱部材１１０を示す図であり、（Ａ）は立面図、（Ｂ）は仕口部１１５，１１６における水平断面図、（Ｃ）はこの連層ＰＣ柱部材１１０の両側部に接続されるＰＣ梁部材１２０を建て込んだ様子を示す図である。同図に示すように、仕口部１１５，１１６の両側部を構成するコンクリート１１７が打設されていても、両側部に打設されたコンクリート１１７の間の空間を通してやとい筋１２６を介して機械式継手１２５により梁筋１２３を接続することができる。さらに、ＰＣ梁部材が隣接する二側面に接続される場合には図８（Ａ）に示すように、仕口部１１５、１１６のＰＣ梁部材の接続されない側の側部を構成するコンクリート１１７が打設された連層ＰＣ柱部材１３０を、また、三面にＰＣ梁部材が接続される場合には、図８（Ｂ）に示すように、仕口部１１５，１１６の一側部を構成するコンクリート１５７が打設された連層ＰＣ柱部材１５０を用いることができる。
【００４８】
また、本実施形態では、ＰＣ梁部材の梁筋とやとい筋を機械式継手により継手する場合について説明したが、これに変えて、図９〜図１２に示すように、重ね継手により梁筋とやとい筋を継手することも可能である。
図９は、重ね継手により梁筋とやとい筋２２６を継手する方法を用いて、一方向から梁が接続される仕口部を連層ＰＣ柱部材１０のプレキャストコンクリート部材１１、１２の間の空間１６に構築する様子を示す図である。同図に示すように、このような場合には、予め、上端筋２２３及び下端筋２２４の近傍にやとい筋２２６、２２７を進出可能に取り付けたＰＣ梁部材２２０を、連層ＰＣ柱部材１０を構成するプレキャストコンクリート部材１１，１２の間の仕口部にあたる空間１６の側部に建て込む。そして、図９に示すように、やとい筋２２６、２２７をその先端が仕口部にあたる空間１６内に到達するように進出させる。そして、仕口部及び梁を構成するコンクリートを打設する。これにより、やとい筋２２６、２２７と梁筋２２３，２２４の一部が重なり合った状態でコンクリートに埋設され、重ね継手によりやとい筋２２６、２２７と梁筋２２３、２２４とが継手されることとなる。なお、上記のような場合には、ＰＣ梁部材を構成するコンクリートと仕口部との間に在来ゾーンを設ける必要はない。
【００４９】
また、図１０は、この方法により対向する面に梁が接続される仕口部を構築する様子を示す図である。このような場合には、仕口部に接続される一方のＰＣ梁部材２４０に、予め、上端筋２２３及び下端筋２２４の近傍にやとい筋２４６、２４７を進出可能に取り付けておく。そして、一対のＰＣ梁部材２４０、２５０を、連層ＰＣ柱部材１０を構成するプレキャストコンクリート部材１１，１２の間の仕口部にあたる空間１６の側部に対向するように建て込む。次に、やとい筋２４６、２４７をその先端が他方のＰＣ梁部材２５０の上端筋２２３及び下端筋２２４と夫々一部が重なり合うように進出させる。そして、仕口部及び梁を構成するコンクリートを打設する。これにより、一対のＰＣ梁部材２４０、２５０の上端筋２２３及び下端筋２２４が夫々やとい筋２４６、２４７と重ね継手により継手されることとなり、一対のＰＣ梁部材２４０、２５０の上端筋２４６及び下端筋２４７が夫々接続されることとなる。
【００５０】
また、上端筋の近傍にやとい筋を設けず、上端筋を仕口部に向かって進出可能に設ける構成とすることも可能である。図１１は、かかる方法により一対の柱間に梁を構築する様子を示す図である。同図に示すように、このような場合には、上端筋を一対の鉄筋２６１、２６２から構成し、ＰＣ梁部材２６０にこれら一対の鉄筋２６１、２６２を両側の仕口部にあたる空間１５，１６向かって進出可能に取り付けておき、また、下端筋２２４の近傍に両端部から仕口部に向かって進出可能にやとい筋２４７を取り付けておく。次に、図１１に示すように、ＰＣ梁部材２６０を建て込み、上端筋を構成する一対の鉄筋２６１、２６２を両側の仕口部に当たる空間１５、１６に向かって進出させ、また、やとい筋２４７を先端が仕口部にあたる空間１５、１６内に到達するように進出させる。そして、仕口部及び梁を構成するコンクリートを打設する。これにより、上端筋を構成する一対の鉄筋２６１、２６２同士が部分的に重なり合った状態でコンクリートに埋設されるため、重ね継手によりこれら一対の鉄筋２６１、２６２が継手されることとなり、また、下端筋２２４とやとい筋２４７とが互いに部分的に重なり合った状態でコンクリートに埋設されるため、重ね継手により継手されることとなる。
【００５１】
また、このようにＰＣ梁部材の上端筋を進出可能な一対の鉄筋２６１、２６２により構成する場合には、以下に説明する方法により対向する梁部材の上端筋を継手することができる。すなわち、まず、図１２に示すように、一対のＰＣ梁部材２６０を端面が対向するように建て込み、上端筋を構成する鉄筋２６１、２６２が互いに部分的に重なり合うように進出させる。そして、梁及び仕口部を構成するコンクリートを打設することにより、一対のＰＣ梁部材２６０の上端筋を構成する鉄筋２６１、２６２が重ね継手により継手される。
【００５２】
また、本実施形態では、ＰＣ梁部材を建て込んだ状態において、仕口部と、ＰＣ梁部材の間に在来ゾーンを設けることとしたが、必ずしも、在来ゾーンを設ける必要はなく、例えば、図３に示すような、梁の下部を構成するコンクリートのみが打設されたＰＣ梁部材を用いることにより、仕口部内においてもやとい筋と梁筋の継手作業を行うことができる。
【００５３】
また、本実施形態では、図３に示すような、梁の下部を構成するコンクリートがプレキャストコンクリートにより構成されたＰＣ梁部材２０を用いて梁を構築するものとしたが、これに限らず、図１３（Ａ）に示すように下端筋２４が２段筋となっているＰＣ梁部材３２０や、同図（Ｂ）に示すように、スラブとの接合部にあたる部分以外のコンクリートがプレキャストコンクリート３４１により構成されたＰＣ梁部材３４０や、同図（Ｃ）示すように、フルＰＣ梁部材３６０を用いて構築することも可能である。なお、これらのＰＣ梁部材を用いることで、現場において仕口部における梁筋とやとい筋の継手作業が困難になる場合には、上記の実施形態と同様に在来ゾーンを設け、この在来ゾーンにおいて継手作業を行えばよい。
【００５４】
また、梁及び仕口部を全て現場打ちコンクリートにより構築してもよい。このような場合には、フルＰＣ梁部材を建て込み、梁筋を接続する工程に変えて、仕口部を貫通するように梁筋を配筋する工程を行い、仕口部及びＰＣ梁部材の上部にコンクリートを打設する工程に変えて、仕口部及び梁を構成するコンクリートを打設する工程を行えばよい。
【００５５】
また、本実施形態では、柱を構成するコンクリートの柱脚から柱頭までをプレキャストコンクリートにより構成するものとしたが、これに限らず、柱を構成するコンクリートの柱脚から柱頭までのうち一部を現場打ち
としてもよい。
【００５６】
また、本実施形態では、図５Ｃに示すように、端面より梁筋２４Ｃ，２５Ｃが突出するＰＣ梁部材２０Ｃを、柱梁仕口部１６Ｂの両側より柱梁仕口部１６Ｂに向かって水平移動させて建て込み、これらＰＣ梁部材２０Ｃの梁筋２４Ｃ，２５Ｃを機械式継手２５Ｃにより継手し、柱梁仕口部１６Ｂにコンクリートを打設することにより、柱梁仕口部１６Ｂを構築するものとしたが、これに限らず、部材端面より突出する梁筋を備えた一方のＰＣ梁部材と、部材端面に鉄筋挿入口が開口する機械式継手が埋入された他方のＰＣ梁部材とを、他方のＰＣ梁部材の機械式継手内に一方のＰＣ梁部材の梁筋が挿入されるように建て込み、機械式継手によりこれらのＰＣ梁部材の梁筋を継手し、柱梁仕口部にあたる部分にコンクリートを打設して柱梁仕口部を構築することも可能である。なお、上記の方法を用いる場合であっても、梁筋の機械式継手により継手した側と逆側の端部に、隣接する柱の柱梁仕口部内まで到達し、又は貫通するようにやとい筋を接続し、隣接する柱の柱梁仕口部にコンクリートを打設することにより、隣接する柱の柱梁仕口部に梁を接続することができる。
【図面の簡単な説明】
【００５７】
【図１】本実施形態の鉄筋コンクリート造建物の柱梁仕口部の構築方法において用いられる連層ＰＣ柱部材を示す図である。
【図２】本実施形態の鉄筋コンクリート造建物の柱梁仕口部の構築方法により構築される鉄筋コンクリート造建物の柱梁架構を示す図であり、（Ａ）は平面図であり、（Ｂ）は（Ａ）におけるＡ通りの断面図であり、（Ｃ）は（Ａ）における３通りの断面図である。
【図３】柱梁架構を構築する際に用いられるＰＣ梁部材を示し、（Ａ）は側面図であり、（Ｂ）は（Ａ）におけるＢ−Ｂ´断面図である。
【図４Ａ】柱梁架構の構築方法を説明するための図（その１）であり、図２（Ａ）のＡ通りを示す。
【図４Ｂ】柱梁架構の構築方法を説明するための図（その２）であり、図２（Ａ）のＡ通りを示す。
【図４Ｃ】柱梁架構の構築方法を説明するための図（その３）であり、図２（Ａ）のＡ通りを示す。
【図４Ｄ】柱梁架構の構築方法を説明するための図（その４）であり、図２（Ａ）のＡ通りを示す。
【図４Ｅ】柱梁架構の構築方法を説明するための図（その５）であり、図２（Ａ）のＡ通りを示す。
【図４Ｆ】柱梁架構の構築方法を説明するための図（その６）であり、図２（Ａ）のＡ通りを示す。
【図５Ａ】柱梁架構の構築方法を説明するための図（その７）であり、図２（Ａ）の３通りを示す。
【図５Ｂ】柱梁架構の構築方法を説明するための図（その８）であり、図２（Ａ）の３通りを示す。
【図５Ｃ】柱梁架構の構築方法を説明するための図（その９）であり、図２（Ａ）の３通りを示す。
【図５Ｄ】柱梁架構の構築方法を説明するための図（その１０）であり、図２（Ａ）の３通りを示す。
【図５Ｅ】柱梁架構の構築方法を説明するための図（その１１）であり、図２（Ａ）の３通りを示す。
【図５Ｆ】柱梁架構の構築方法を説明するための図（その１２）であり、図２（Ａ）の３通りを示す。
【図６】別の実施形態の連層ＰＣ柱部材を示す図である。
【図７】仕口部にあたる部分の側部を構成するコンクリートが構築された連層ＰＣ柱部材を示す図であり、（Ａ）は立面図、（Ｂ）は仕口部における水平断面図、（Ｃ）は仕口部の側部にＰＣ梁部材を建て込んだ状態を示す図である。
【図８】仕口部にあたる部分の一部を構成するコンクリートが構築された連層ＰＣ柱部材を示す図であり、（Ａ）は隣接する二面に梁が接続される場合の仕口部を示す水平断面図、（Ｂ）は三面に梁が接続される場合の仕口部を示す水平断面図である。
【図９】やとい筋を進出可能に設けたＰＣ梁部材を用いて柱梁仕口部を構築する方法を説明するための図である。
【図１０】やとい筋を進出可能に設けたＰＣ梁部材を用いて、対向する面に梁が接続される柱梁仕口部を構築する方法を説明するための図である。
【図１１】上端筋を両側に進出可能な一対の鉄筋により構成したＰＣ梁部材を用いて、対向する面に梁が接続される柱梁仕口部を構築する方法を説明するための図である。
【図１２】上端筋を両側に進出可能な一対の鉄筋により構成したＰＣ梁部材を用いて、隣接する柱間に梁を接合する方法を説明するための図である。
【図１３】（Ａ）は、下端筋が２段筋となったハーフＰＣ梁部材を示す図であり、（Ｂ）は、スラブに接合される部分以外の部分がプレキャストコンクリートにより構成されたＰＣ梁部材を示す図であり、（Ｃ）は、フルＰＣ梁部材を示す図である。
【符号の説明】
【００５８】
１０、１０Ａ、１０Ｂ  連層ＰＣ柱部材
１１  上方のＰＣ柱部材
１２  下方のＰＣ柱部材
１３  柱筋
１４  機械式継手
１５、１６  仕口部
２０、２０Ａ，２０Ｂ、２０Ｃ  ＰＣ梁部材
２１、２１Ａ，２１Ｂ、２１Ｃ  プレキャストコンクリート
２２  せん断補強筋
２３、２３Ａ，２３Ｂ、２３Ｃ  上端の梁筋
２４、２４Ａ，２４Ｂ、２４Ｃ  下端の梁筋
２５、２５Ａ，２５Ｂ、２５Ｃ  機械式継手
２６Ａ，２６Ｂ、２６Ｃ  梁やとい筋
３０Ａ  第１の柱群
３０Ｂ  第２の柱群
５０、６０、７０  連層ＰＣ柱部材
５１、５２、６１、６２、６３、７１、７２，７３  ＰＣ部材
５３、６３、７３  柱筋
５４、６４、７４  機械式継手
【図１】
0005151441.tif 000002
【図３】
0005151441.tif 000003
【図６】
0005151441.tif 000004
【図７】
0005151441.tif 000005
【図８】
0005151441.tif 000006
【図９】
0005151441.tif 000007
【図１０】
0005151441.tif 000008
【図１１】
0005151441.tif 000009
【図１２】
0005151441.tif 000010
【図１３】
0005151441.tif 000011
【図２】
0005151441.tif 000012
【図４Ａ】
0005151441.tif 000013
【図４Ｂ】
0005151441.tif 000014
【図４Ｃ】
0005151441.tif 000015
【図４Ｄ】
0005151441.tif 000016
【図４Ｅ】
0005151441.tif 000017
【図４Ｆ】
0005151441.tif 000018
【図５Ａ】
0005151441.tif 000019
【図５Ｂ】
0005151441.tif 000020
【図５Ｃ】
0005151441.tif 000021
【図５Ｄ】
0005151441.tif 000022
【図５Ｅ】
0005151441.tif 000023
【図５Ｆ】
0005151441.tif 000024